(57)【要約】      （修正有）【課題】トーションばねを収容する収容部材の成形性の低下を防止することができる構成を持つローラクラッチの提供。【解決手段】ローラクラッチ１０は、外輪２と、内輪３と、ローラ４と、トーションばね６と、収容部材５とを備えている。ローラ４は、内輪３と外輪２との間に配置されている。また、ローラ４は、伝達位置と非伝達位置との間で移動可能である。トーションばね６は、ローラ４を伝達位置側に付勢する。収容部材５は、収容穴５１及び内壁面５２を有する。収容穴５１は、トーションばね６を収容する。内壁面５２は、収容穴５１を画定し、トーションばね６を支持するように構成されている。【選択図】図３
2019024327.tif 000002
【特許請求の範囲】
【請求項１】
釣り用リールのローラクラッチであって、
外輪と、
前記外輪の半径方向内側に配置された内輪と、
前記内輪と外輪との間に配置され、前記外輪と前記内輪との間で動力を伝達する伝達位置と前記動力の伝達を解除する非伝達位置との間で移動可能なローラと、
前記ローラを前記伝達位置側に付勢するトーションばねと、
前記トーションばねを収容する収容穴、及び前記収容穴を画定し前記トーションばねを支持するように構成された内壁面、を有する収容部材と、
を備える、釣り用リールのローラクラッチ。
【請求項２】
前記収容穴の底面は平坦面である、
請求項１に記載の釣り用リールのローラクラッチ。
【請求項３】
前記収容穴を画定する内壁面は、無端状に連結している、
請求項1又は２に記載の釣り用リールのローラクラッチ。
【請求項４】
前記トーションばねは、コイル部と、前記コイル部から延びる第１及び第２アーム部と、を有し、
前記収容穴は、前記コイル部を収容する円筒部と、前記円筒部から延びて前記第１アーム部を収容する延在部と、を有する、
請求項１から３のいずれかに記載の釣り用リールのローラクラッチ。
【請求項５】
前記外輪は、前記収容穴の開口端面を封鎖するように配置される、
請求項１から４のいずれかに記載の釣り用リールのローラクラッチ。
【発明の詳細な説明】
【技術分野】
【０００１】
本発明は、釣り用リールのローラクラッチに関するものである。
【背景技術】
【０００２】
釣り用リールのローラクラッチは、外輪、内輪、及びローラを有しており、回転を一方向にのみ伝達可能である。例えば、ローラが伝達位置に移動すると、内輪の回転が外輪に伝達され、ローラが非伝達位置に移動すると、内輪の回転は外輪に伝達されない。
【０００３】
ローラは、付勢部材によって伝達位置に付勢されている。例えば、特許文献１に示されるローラクラッチでは、トーションばねがローラを伝達位置に付勢している。このトーションばねは、収容部材によって保持されている。詳細には、収容部材に形成された凸部がトーションばねのコイル部に挿入されている。
【先行技術文献】
【特許文献】
【０００４】
【特許文献１】特開平９−２８９８５０号公報
【発明の概要】
【発明が解決しようとする課題】
【０００５】
上述したような構成は、トーションばねのコイル部に挿入されるような凸部を収容部材に形成する必要があるため、成形性が低下するという問題がある。そこで、本発明の課題は、収容部材の成形性の低下を防止することにある。
【課題を解決するための手段】
【０００６】
本発明のある側面に係る釣り用リールのローラクラッチは、外輪と、内輪と、ローラと、トーションばねと、収容部材とを備えている。内輪は、外輪の半径方向内側に配置されている。ローラは、内輪と外輪との間に配置されている。また、ローラは、伝達位置と非伝達位置との間で移動可能である。なお、伝達位置では、ローラは、外輪と内輪との間で動力を伝達する。また、非伝達位置では、ローラは、動力の伝達を解除する。トーションばねは、ローラを伝達位置側に付勢する。収容部材は、収容穴及び内壁面を有する。収容穴は、トーションばねを収容する。内壁面は、収容穴を画定し、トーションばねを支持するように構成されている。
【０００７】
この構成によれば、トーションばねを凸部によって支持するのではなく、収容穴の内壁面によってトーションばねを支持している。このようにトーションばねを支持するための凸部を収容部材に形成する必要が無いため、収容部材の成形性の低下を防止することができる。また、組み立てが容易となるというメリットも有する。
【０００８】
好ましくは、収容穴の底面は平坦面である。
【０００９】
好ましくは、収容穴を画定する内壁面は、無端状に連結している。
【００１０】
好ましくは、トーションばねは、コイル部と、コイル部から延びる第１及び第２アーム部とを有している。そして、収容穴は、コイル部を収容する円筒部と、円筒部から延びて第１アーム部を収容する延在部とを有する。
【００１１】
好ましくは、外輪は、収容穴の開口端面を封鎖するように配置される。
【発明の効果】
【００１２】
本発明によれば、収容部材の成形性の低下を防止することができる。
【図面の簡単な説明】
【００１３】
【図１】スピニングリールの断面図。
【図２】ローラクラッチの正面図。
【図３】ローラクラッチの側面断面図。
【図４】外輪を取り外した状態におけるローラクラッチの正面図。
【図５】外輪を取り外した状態におけるローラクラッチの拡大斜視図。
【発明を実施するための形態】
【００１４】
以下、本発明に係るローラクラッチの実施形態について図面を参照しつつ説明する。なお、以下の説明において、軸方向とはロータ１５の回転軸Ｏが延びる方向を示し、半径方向とは回転軸Ｏを中心とした円の半径方向を示し、周方向とは回転軸Ｏを中心とした円の周方向を示す。
【００１５】
［スピニングリール］
図１に示すように、スピニングリール１００は、釣糸を前方（図１の左方向）に繰り出す。スピニングリール１００は、リール本体１１、スプール軸１２、スプール１３、ピニオンギア１４、ロータ１５、ハンドル１６、及びローラクラッチ１０を備えている。
【００１６】
［リール本体］
リール本体１１は、内部空間を有しており、内部空間内に種々の機構を収容している。例えば、駆動ギア１７、及びオシレーティング機構１８がリール本体１１内に収容されている。また、リール本体１１の側面には、ハンドル１６が回転可能に取り付けられている。
【００１７】
ハンドル１６を回転させることによって、駆動ギア１７が回転する。駆動ギア１７は、フェースギアであり、ピニオンギア１４のギア部１４１と噛み合っている。オシレーティング機構１８は、スプール軸１２を軸方向に往復動させる機構である。
【００１８】
［スプール軸］
スプール軸１２は、リール本体１１に設けられている。詳細には、スプール軸１２は、リール本体１１内から前方に延びている。スプール軸１２は、ハンドル１６を回転させることによって、前後方向に往復動する。詳細には、ハンドル１６の回転が、駆動ギア１７及びオシレーティング機構１８を介して、スプール軸１２を前後方向に往復動させる。
【００１９】
［スプール］
スプール１３は、釣糸が巻きつけられる部材である。スプール１３は、スプール軸１２の先端部にドラグ機構１９を介して装着されている。スプール１３は、スプール軸１２と一体的に前後方向に往復動する。
【００２０】
［ピニオンギア］
ピニオンギア１４は、リール本体１１に設けられている。詳細には、ピニオンギア１４は、リール本体１１内から前方に延びている。ピニオンギア１４は、スプール軸１２周りに回転可能に配置されている。ピニオンギア１４は筒状に形成されており、ピニオンギア１４の内部をスプール軸１２が延びている。なお、ピニオンギア１４の内周面とスプール軸１２の外周面とが接触しないよう、ピニオンギア１４は複数の軸受を介してリール本体１１に支持されていることが好ましい。
【００２１】
ピニオンギア１４は、ギア部１４１と取付部１４２とを有している。ギア部１４１は、ピニオンギア１４の後部に位置しており、駆動ギア１７と噛み合っている。取付部１４２は、ピニオンギア１４の前部に位置している。取付部１４２は、種々の部材が取り付けられている。ピニオンギア１４の取付部１４２は、円筒状に形成されており、外周面に一対の平坦面を有している。各平坦面は軸方向に延びており、互いに平行である。
【００２２】
［ロータ］
ロータ１５は、スプール１３に釣糸を巻きつけるための部材である。ロータ１５は、ピニオンギア１４に固定されており、ピニオンギア１４と一体的に回転する。すなわち、ロータ１５はピニオンギア１４と相対回転不能である。なお、ロータ１５は、ピニオンギア１４の取付部１４２に取り付けられている。
【００２３】
［ローラクラッチ］
ローラクラッチ１０は、動力を一方向のみに伝達可能に構成されている。すなわち、ローラクラッチ１０は、ワンウェイクラッチとして構成されている。
【００２４】
図２及び図３に示すように、ローラクラッチ１０は、外輪２、内輪３、複数のローラ４、収容部材５、及び複数のトーションばね６を有している。
【００２５】
［収容部材］
収容部材５は、リール本体１１に固定されている。具体的には、収容部材５は、リール本体１１にボルトなどで固定されている。このため、収容部材５は、回転軸Ｏ周りに回転しない。
【００２６】
図３から図５に示すように、収容部材５は、複数の収容穴５１を有している。各収容穴５１は、トーションばね６を収容している。各収容穴５１は、周方向において、互いに間隔をあけて配置されている。各収容穴５１は、軸方向に貫通していない。すなわち、各収容穴５１は、凹部である。
【００２７】
各収容穴５１は、内壁面５２及び底面５３によって画定されている。図４に示すように、内壁面５２は、無端状に連結している。すなわち、正面視において、内壁面５２は、全周にわたって繋がっており、環状に形成されている。このため、収容穴５１は、開口端面を除いて、閉じられている。
【００２８】
図３に示すように、底面５３は、収容穴５１の軸方向の一方の端面を画定している。この底面５３は、平坦面である。すなわち、底面５３に凸部などは形成されていない。なお、各収容穴５１の軸方向の他方の端面は、開口している。
【００２９】
図４に示すように、各収容穴５１は、円筒部５１１と延在部５１２とを有している。延在部５１２は、円筒部５１１から周方向に延びている。円筒部５１１と延在部５１２とは一体的に形成されている。なお、円筒部５１１は、後述するコイル部６１を収容する部分であり、延在部５１２は、後述するアーム部６２を収容する部分である。
【００３０】
また、図３及び図４に示すように、収容部材５は、外周壁部５４、複数の係合凸部５５、及び貫通孔５６を有している。外周壁部５４は、回転軸Ｏを中心とした環状に形成されている。各係合凸部５５は、この外周壁部５４から半径方向内側に突出している。また、各係合凸部５５は、軸方向に延びている。各係合凸部４４は、周方向において互いに間隔をあけて配置されている。貫通孔５６は、収容部材５の中央部に形成されており、軸方向に延びている。
【００３１】
［内輪］
図２及び図３に示すように、内輪３は、外輪２の半径方向内側に配置されている。詳細には、内輪３は、収容部材５の貫通孔５６内を延びている。内輪３は、円筒状であり、ピニオンギア１４の取付部１４２に取り付けられる。内輪３の内周面には、一対の係合面３１が形成されている。内輪３の各係合面３１は、ピニオンギア１４の取付部１４２の各平坦面と係合する。この結果、内輪３はピニオンギア１４と一体的に回転する。
【００３２】
［外輪］
図２に示すように、外輪２は、略円筒状に形成されており、外周面に複数の係合凹部２１を有している。外輪２の各係合凹部２１は、収容部材５の係合凸部５５と係合する。これにより、外輪２は、収容部材５と相対回転不能となる。収容部材５は、回転軸Ｏ周りに回転不能であるため、外輪２も同様に回転軸Ｏ周りに回転不能となる。
【００３３】
外輪２は、各収容穴５１の開口端面を封鎖するように配置されている。このため、各収容穴５１に収容されたトーションばね６が収容穴５１から抜け落ちることを外輪２によって防止されている。また、外輪２は、収容部材５の外周壁部５４によって半径方向に支持されている。
【００３４】
外輪２は、複数のカム面２２を有している。各カム面２２は、外輪２の内周面に形成されている。各カム面２２は、周方向に沿って回転軸Ｏとの距離が変化する。具体的には、各カム面２２は、図２の時計周りの方向に向かって回転軸Ｏに近付くように傾斜している。
【００３５】
［ローラ］
ローラ４は、内輪３と外輪２との間に配置されている。詳細には、ローラ４は、内輪３の外周面と、外輪２のカム面２２との間に配置されている。各ローラ４は、周方向に互いに間隔をあけて配置されている。ローラ４は、円柱状であって、回転軸Ｏに沿って延びている。ローラ４は、伝達位置と非伝達位置との間で移動可能である。なお、ローラ４は、トーションばね６によって、伝達位置側に付勢されている。
【００３６】
伝達位置における外輪２のカム面２２と内輪３の外周面との距離は、ローラ４の直径よりも小さい。このため、ローラ４が伝達位置に移動すると、ローラ４は外輪２のカム面２２と内輪３の外周面との間にくい込む。この結果、ローラ４は内輪３と外輪２との間で動力を伝達する。
【００３７】
なお、本実施形態では、外輪２は回転軸Ｏ周りに回転不能であるため、ローラ４が伝達位置に移動すると、内輪３も回転軸Ｏ周りに回転不能となる。具体的には、糸繰り出し方向にハンドル１６を回そうとすると、内輪３が図２の時計周りに回転して、ローラ４が伝達位置に移動する。このため、内輪３は回転不能となり、結果的に、ハンドル１６も糸繰り出し方向に回すことができなくなる。
【００３８】
非伝達位置における外輪２のカム面２２と内輪３の外周面との距離は、ローラ４の直径よりも大きい。このため、ローラ４が非伝達位置に移動すると、外輪２と内輪３との間で各ローラ４は自転可能となる。この結果、内輪３の動力は外輪２に伝達されない。すなわち、内輪３は回転可能となる。具体的には、糸巻き取り方向にハンドル１６を回すと、内輪３が図２の反時計周りに回転し、ローラ４が非伝達位置に移動する。このため、ハンドル１６、内輪３、ピニオンギア１４及びロータ１５が糸巻取方向に回転可能となる。
【００３９】
［トーションばね］
図４に示すように、トーションばね６は、ローラ４を伝達位置側に付勢するように構成されている。トーションばね６は、収容部材５の収容穴５１に収容されている。トーションばね６は、収容穴５１を画定する内壁面５２によって支持されている。
【００４０】
トーションばね６は、コイル部６１と、一対のアーム部６２とを有している。コイル部６１は、トーションばね６のうち、コイル状に巻かれた部分である、コイル部６１は、収容穴５１のうち、円筒部５１１に収容されている。
【００４１】
一対のアーム部６２は、コイル部６１から延びている。一対のアーム部６２は、第１アーム部６２ａと第２アーム部６２ｂとを含んでいる。第１アーム部６２ａは、延在部５１２内に配置されている。この第１アーム部６２ａは、延在部５１２内の内壁面５２と当接している。
【００４２】
また、一対のアーム部６２のうち、第２アーム部６２ｂは、ローラ４を伝達位置に向かって付勢している。この第２アーム部６２ｂは、ローラ４の側面と当接している。これらの一対のアーム部６２間の角度は、自由時角度よりも開いた状態で取り付けられている。
【００４３】
［変形例］
以上、本発明の実施形態について説明したが、本発明はこれらに限定されるものではなく、本発明の趣旨を逸脱しない限りにおいて種々の変更が可能である。
【００４４】
例えば、上記実施形態では、外輪２は回転軸Ｏ周りに回転不能に取り付けられているが、外輪２は回転軸Ｏ周りに回転可能であってもよい。この場合、ローラ４が伝達位置に移動すると、内輪３の動力が外輪２に伝達され、内輪３と外輪２とが一体的に回転する。
【符号の説明】
【００４５】
２    外輪
３    内輪
４    ローラ
５    収容部材
５１    収容穴
５２    内壁面
６    トーションばね
１０    ローラクラッチ
【図１】
2019024327.tif 000003
【図２】
2019024327.tif 000004
【図３】
2019024327.tif 000005
【図４】
2019024327.tif 000006
【図５】
2019024327.tif 000007